(57)【要約】【課題】簡単な構成により、光による演出効果を阻害することがない装飾部材を提供すること。【解決手段】装飾部材６は、モチーフを模った装飾面を構成する表面と装飾部材６をレンズ板１０に組み付けるためのボス１４Aが突設された裏面とを有する透明部材からなり、裏面側に配されたLED１１の発光を透過させて光による演出を行う。LED１１が装飾部材６の裏面側で発光することにより装飾部材６の表面側から視認されるボス１４Aの影を隠すために、表面側を前方とし裏面側を後方とした場合の前後方向でボス１４Aと重なる表面の位置には、表面側から照射された光を反射する組付部目隠し部２０が設けられる。【選択図】図４
2010240496.tif 000002
【特許請求の範囲】
【請求項１】
モチーフを模った装飾面を構成する表面と当該装飾部材を取付部材に組み付けるための組付部が突設された裏面とを有する透明部材からなり、前記裏面側に配された発光装置の発光を透過させて光による演出を行う遊技機の装飾部材において、
前記発光装置が前記装飾部材の裏面側で発光することにより前記装飾部材の表面側から視認される前記組付部の影を隠すために、前記表面側を前方とし前記裏面側を後方とした場合の前後方向で前記組付部と重なる前記表面の位置に、前記表面側から照射された光を反射する組付部目隠し部を設けたことを特徴とする遊技機の装飾部材。
【発明の詳細な説明】
【技術分野】
【０００１】
本発明は、パチンコ遊技機など遊技機の装飾部材に関する。
【背景技術】
【０００２】
昨今の遊技機において、LEDや蛍光灯などの発光装置を内部に備えた装飾部材が一般的に使用されている。装飾部材は、何らかのモチーフを模った装飾面を構成する表面を有し、樹脂やガラスなどの透明部材（内部の発光装置の発光を外部に透過可能な部材）で構成されている。そして、発光装置の発光パターン（発光タイミング、発光色など）を変化させて外部に透過させることにより、光による演出を行っている。
【発明の開示】
【発明が解決しようとする課題】
【０００３】
しかし、装飾部材の裏面には、当該装飾部材を取付部材に組み付けるためのボスなどの組付部が突設されているため、この光による演出時に、発光装置の発光は組付部が突設された部位（組付部の根元付近の部位）を透過できず、この部位が黒点として目立ち、演出効果が阻害されるという問題があった。
【０００４】
本発明は、上記のような問題点を解決し、簡単な構成により、光による演出効果を阻害することがない装飾部材を提供することを目的とする。
【課題を解決するための手段】
【０００５】
本発明による遊技機の装飾部材は、モチーフを模った装飾面を構成する表面と当該装飾部材を取付部材に組み付けるための組付部が突設された裏面とを有する透明部材からなり、前記裏面側に配された発光装置の発光を透過させて光による演出を行う遊技機の装飾部材において、前記発光装置が前記装飾部材の裏面側で発光することにより前記装飾部材の表面側から視認される前記組付部の影を隠すために、前記表面側を前方とし前記裏面側を後方とした場合の前後方向で前記組付部と重なる前記表面の位置に、前記表面側から照射された光を反射する組付部目隠し部を設けたことを特徴とする。
【０００６】
本発明によると、表面に組付部目隠し部を設けたため、光による演出時に組付部の根元付近に黒点が発生しなくなり、光による演出効果が阻害されなくなる。
【図面の簡単な説明】
【０００７】
【図１】本発明の一実施形態に係る装飾部材が組み込まれ、パチンコ遊技機の遊技盤に組み付けられるセンター部の正面図である。
【図２】装飾部材及び照明装置の正面図である。
【図３】装飾部材及び照明装置の側面図である。
【図４】装飾部材と取付部材（レンズ板）と回路基板の分解斜視図である。
【図５】装飾部材の正面図である。
【図６】装飾部材の裏面図である。
【図７】取付部材の正面図である。
【図８】回路基板の正面図である。
【図９】装飾部材と回路基板の位置関係を表した正面図である。
【図１０】装飾部材と取付部材と回路基板を組み付けた状態の断面図である。
【発明を実施するための最良の形態】
【０００８】
以下、本発明の実施形態を図面に基づいて説明する。
【０００９】
図１は、本発明の一実施形態に係る装飾部材が組み込まれ、パチンコ遊技機の遊技盤に組み付けられるセンター部の正面図、図２は、装飾部材及び照明装置の正面図、図３は、装飾部材及び照明装置の側面図、図４は、装飾部材と取付部材（レンズ板）と回路基板の分解斜視図、図５は、装飾部材の正面図、図６は、装飾部材の裏面図、図７は、取付部材の正面図、図８は、回路基板の正面図、図９は、装飾部材と回路基板の位置関係を表した正面図、図１０は、装飾部材と取付部材と回路基板を組み付けた状態の断面図をそれぞれ示す。
【００１０】
図１において、センター部１は、第一種パチンコ遊技機の遊技盤（図示せず。）に組み付けられるものであり、センター部１の中央開口部２に、図示しない画像式演出装置の表示画面が配される。画像式演出装置は、周知のように、遊技が行われていないときに客待ち画面を表示したり、遊技盤上の始動入賞口への遊技球の入賞を契機として取得した乱数に対応して、図柄を変動表示し、リーチの発生を予告するリーチ予告演出、相対的に大当たり信頼度の低いノーマルリーチ演出、大当たり信頼度の高いスーパーリーチ演出、大当たり発生時の大当たり演出、ハズレ演出など各種演出を画像表示可能なものである。なお、パチンコ遊技機には、相対的に低確率で大当たりが発生する通常遊技状態と、高確率で大当たりが発生する確変遊技状態、時短遊技状態など特別遊技状態がある。
【００１１】
センター部１は、中央開口部２の周囲に枠状本体部３を有する。枠状本体部３の上部の前面には「歌舞伎剣」なる文字を表現した上側装飾部４が配されている。上側装飾部４の左端部には、揺動可能な花飾り５が吊り下げられている。枠状本体部３の右側部には、歌舞伎役者の顔ないし頭部を模った部材６（本発明にいう装飾部材に対応する。）と手を模った作動可能な手飾り７が配設されている。枠状本体部３の下部は、遊技球に主として横方向の流動的な動きの変化を与えるステージ８を構成している。なお、ステージ８の左右方向中央部の下方には、図示しない始動入賞口が配置される。始動入賞口に遊技球が入賞すると、主制御基板（図示せず。）において乱数が取得され、上述したように、取得した乱数に基づいた各種演出が表示画面上で行われる。始動入賞口の下方には、大当たり発生時に所定ラウンド数だけ間欠的に開放状態となり、多数の遊技球の入賞を可能にする大入賞口（図示せず。）が配置される。
【００１２】
装飾部材６の裏面側には、刀を模った刀部材９が正面からは見えない状態で配され、この刀部材９は、画像式演出装置による画像演出に合わせて図１に図示するような露出状態へと瞬時に回動し、あたかも刀が瞬時に振り下ろされたかのような演出が行われる。
【００１３】
装飾部材６は、樹脂又はガラスの透明部材からなる。図４に示すように、装飾部材６の裏面側には、装飾部材６が組み付けられる無色透明なレンズ板（取付部材）１０が配され、レンズ板１０の裏面側には、複数のLED（発光装置）１１が表面に装着された回路基板１２がねじ止めされる。
【００１４】
装飾部材６は、図１〜図５、図９及び図１０に示すように、歌舞伎役者の顔もしくは頭（モチーフ）を模った表面（装飾面）を有する。装飾部材６の裏面には、図６に示すように、レンズ板１０の装飾部材用取付孔１３に図示しないねじで固着される複数のボス（組付部）１４が一体に突設されている。これらのボス１４のうち１つのボス１４Aは、顔の額の上端部に対応する位置から突設されている。また、図４及び図６に示すように、装飾部材６の裏面において、装飾部材６の正面から見て髪で覆われていない露出した顔部分の周縁部には、当該顔部分のLED１１による照明光と髪部分のLED１１による照明光とが互いに干渉しないようにするための遮光壁部１５が突設されている。
【００１５】
レンズ板１０の正面には、図４及び図７に示すように、装飾部材６の遮光壁部１５の内側に配される複数の垂直壁部１６が突設されている。これらの垂直壁部１６は、LEDによる照明光を屈折、反射して光路を変化させ、歌舞伎役者の顔に隈取（陰影）を浮かび上がらせる作用を発揮する。レンズ板１０の裏面には、レンズ板１０を遊技盤に固定するための取付用ボス１７が突設されている。
【００１６】
回路基板１２の表面には、図４及び図８に示すように、複数のLED１１が装着されている。回路基板１２は、複数の取付孔１８にねじを挿通してレンズ板１０の回路基板用取付孔１９にねじ込むことによってレンズ板１０に固定される。
【００１７】
図１、図２、図４、図５、図９及び図１０に示すように、装飾部材６の表面の顔部分において、顔の額の上端部には、LED１１の発光時にボス１４の存在を外部から見えないようにするための組付部目隠し部２０が設けられている。
【００１８】
組付部目隠し部２０は、例えば、装飾部材６の表面に塗布された塗装面で構成される。
【００１９】
また、組付部目隠し部２０は、例えば、装飾部材６の表面に貼着されたシールで構成される。
【００２０】
また、組付部目隠し部２０は、例えば、装飾部材６の表面を鏡面加工した反射面で構成され、この反射面は、装飾部材６の表面側から照射された光を反射する。ここで、装飾部材６の表面側からの照射光は、図１〜図３に示すような、枠状本体部３の右側部２１に配設された照明装置２２が発する光であり、装飾部材６に外部から光を当てることによって外部から演出を行うものである。この照明装置２２は、LEDや蛍光灯などで構成される。
【００２１】
また、組付部目隠し部２０は、例えば、装飾部材６の表面に塗布され鏡面加工された鏡面塗装面で構成され、この鏡面塗装面は、装飾部材６の表面側に配された照明装置２２から照射された光を反射する。
【００２２】
また、組付部目隠し部２０は、例えば、装飾部材６の表面に貼着された金属シールで構成され、この金属シールは、装飾部材６の表面側に配された照明装置２２から照射された光を反射する。
【００２３】
また、組付部目隠し部２０は、例えば、装飾部材６の表面に貼着された反射板で構成され、この反射板は、装飾部材６の表面側に配された照明装置２２から照射された光を反射する。
【００２４】
上記のように構成されるセンター部１において、回路基板１２上のLED１１が発光すると、LED１１の発射光は、レンズ板１０に入射し、レンズ板１０の入射光のうち一部は垂直壁部１６を通過する間に減光されて装飾部材６を通過し、残りの入射光は垂直壁部１６により減光されないで装飾部材６を通過する。ここで、垂直壁部１６を通過した後の強度は、垂直壁部１６を通過しない光の強度に比べて弱いため、装飾部材６の表面において光の強弱が発生し、垂直壁部１６の平面形状に基づいて、歌舞伎役者の顔の隈取に似た光による演出を生じさせることができる。
【００２５】
また、レンズ板１０を通過した光は、ボス１４Aの内部には入射されない。このため、装飾部材６の表面に組付部目隠し部２０を設けていない場合には、装飾部材６の表面においてボス１４Aの延長部位が黒点として目立ち、演出効果が阻害されるが、本実施形態では組付部目隠し部２０が上記黒点を隠すようになるため、演出効果が阻害されなくなる。この組付部目隠し部２０が黒点を隠す作用は、組付部目隠し部２０を塗装面又はシールで構成した場合には、LED１１の光が装飾部材６を通過できないことによって発揮され、また、組付部目隠し部２０を反射面で構成した場合には、枠状本体部３の右側部２１に配設された照明装置２２が発した光が反射面で反射し、この反射光が遊技者の目に入光し黒点が見えなくなることによって発揮される。
【００２６】
以上説明したように、本実施形態の装飾部材６は、表面に、LED１１（発光装置）の発光時にボス１４A（組付部）の存在を外部から見えないようにするための組付部目隠し部２０を設けたため、光による演出時にボス１４Aの根元付近に黒点が発生しなくなり、光による演出効果が阻害されなくなる。
【００２７】
また、装飾部材６の裏面に設けられた組付用のボス１４やねじ孔等の存在によって裏面にLED等の発光装置１１を配設できないような部分つまり組付部目隠し部２０であっても、照明装置２２が組付部目隠し部２０に様々な色の光線を照射することにより、組付部目隠し部２０を様々な色に発光可能にすることができる。
【００２８】
また、装飾部材６の裏面に回路基板１２を配設し、例えば赤色のLEDにて裏面側から装飾部材６を発光させた場合においても、照明装置２２から組付部目隠し部２０に対して同色である赤色LEDにて赤色を照射すれば、組付部目隠し部２０を含んだ装飾部材６全体を赤色に発光させるができるようになる。つまり、組付部目隠し部２０に黒色の影を浮かび上がらせず、装飾部材６全体を同色にて発光させることができる。
【符号の説明】
【００２９】
６    装飾部材
１０    レンズ板（取付部材）
１１    LED(発光装置)
１４A    ボス（組付部）
２０  組付部目隠し部
【図１】
2010240496.tif 000003
【図２】
2010240496.tif 000004
【図３】
2010240496.tif 000005
【図４】
2010240496.tif 000006
【図５】
2010240496.tif 000007
【図６】
2010240496.tif 000008
【図７】
2010240496.tif 000009
【図８】
2010240496.tif 000010
【図９】
2010240496.tif 000011
【図１０】
2010240496.tif 000012